(57)【要約】【課題】ゴルフスイングにおける欠点や悪い癖を矯正し、好ましいスイングを習得できるゴルフスイング矯正装置を提供する【解決手段】環状ガイドリングの前後、左右４ヶ所を支持棒で支持し、うち前方支持位置を基準にして、環状ガイドリングの傾斜と左右の向きを変更可能にしてあるので、ゴルファは環状ガイドリングにそってスイングすることによってアップライトやフラットライトにも、さらにインサイド・アウトやアウトインなど好ましいスイングに導き、かつヘッドレストが設けてあるので体の軸のぶれを認知できるのでスイングの矯正に役立つ、なおかつ台板に設けた指示棒によって肩、腕の回転量を視認でき、スイングにおける手打ちが矯正できる【選択図】図１
2019180683.tif 000002
【特許請求の範囲】
【請求項１】
環状ガイドリングの前後、左右計４個所を支持棒で支え、環状ガイドリングを傾斜させることによって、ゴルフスイングをアップライト、フラットライトにまたインサイド・アウト、アウトサイド・インに 導くことができるゴルフスイング矯正装置
【請求項２】
前記の環状ガイドリングがスイング中に行うリストコックによってクラブヘッドが描く軌道を近似した下記数5の式に示す半径をなす偏心円で形成されたことを特徴とする請求項１に記載のゴルフスイング矯正装置
【数５】
2019180683.tif 000008
【請求項３】
アドレスした位置において、ゴルファの頭部後方にヘッドレストを設け、スイング中にゴルファの体幹のぶれを認知させることを可能にした請求項１または請求項2に記載のゴルフスイング矯正装置
【請求項４】
前方下の支持点に回転自在にした１つ又は複数の指示棒を設け、  スイングにおけるテイクバック及びフォローの際に肩と腕の回転量を視認できることを特徴とする請求項１に記載のゴルフスイング矯正装置
【発明の詳細な説明】
【技術分野】
【０００１】
本発明はゴルフボールのショットの際に、ゴルフクラブを好ましい軌道にスイングさせるように導く環状ガイドリングを備え、かつ体の軸が前後、左右にぶれる動作を矯正させるヘッドレストを備え、なお肩、腕の回転量を視認するための指示棒を備えたゴルフスイング矯正装置に関する
【背景技術】
【０００２】
ゴルフスイングは一見ゴルファによって異なるように見えるが、  スイングには基本があり、スングプレーンに沿ったスイングで、かつ、体の軸がぶれないことなどが重要視されている。従って、このスングプレーンを習得するための機器が提案されている
【０００３】
たとえば特許文献1特開平7-8587のように、ゴルファの周囲に環状のリングを設置しスイングを環状のリングに沿って行うことでスングプレーンを習得させる装置が記載されている。
【０００４】
更に特許文献2の特開平7-8588には特許文献1に加えてゴルファの頭部の動きを感知させる装置が付加されている。
【０００５】
また更に、特許文献3の特開平7-328166にはインパクトからフォロースルーのスイング動作過程で、スイング練習者に飛球方向の足をふんばる感覚を体感習得させるとともに、スイング練習者の腰が飛球方向へ移動しないようにふんばる体感練習をさせる装置が付加されている。
【０００６】
同様なものして、特許文献4特開2013-215254にはゴルフクラブをスイングし練習する同一面内において、ゴルフクラブの接触スイング可能な内外２本のスライドバーをそれぞれ環状の状態に配置したゴルフ練習器が記載されている。
【０００７】
そしてまた、特許文献5の特開2006-122074には先端部が回動自在に回動軸に枢支されたアームと、アームの先端部に設けられたグリップとを備えたことを特徴とするゴルフスイング練習装置が記載されている。
【先行技術文献】
【特許文献】
【０００８】
【特許文献１】特開平7-8587
【特許文献２】特開平7-8588
【特許文献３】特開平7-328166
【特許文献４】特開2013-215254
【特許文献５】特開2006-122074
【非特許文献】
【０００９】
【非特許文献１】”The Physics Of A Golf Swing”、http://www.real-world-physics-problem.com
【非特許文献２】{DUNLOP  XXIO9 2016  New Model カタログ}、P04  (株)ダンロップスポーツマーケテング
【発明の概要】
【発明が解決しようとする課題】
【００１０】
上述の各特許文献に 開示されているゴルフスイング練習装置は、スイングプレーンに沿った円弧を描くようにゴルフスイングを習得する練習装置ではあるが、各練習装置とも解決しなければならない課題がそれぞれに介在している。
【００１１】
たとえば特許文献1にスイング中にゴルファの体の軸がぶれてもスイングプレーンに沿ってゴルフクラブを振れるため、いわゆる手打ちと呼ばれるスイングができるので好ましいスイングを体得するには十分でない。
【００１２】
特許文献2に開示されているゴルフスイング練習装置は、ゴルファに頭部の動きを感知させる装置が取り付けられているものであるが、ゴルファの頭部と接触し、または顔面に加圧空気又は加温空気が吹き付けられるものであり恐怖感や不安感を伴うし、装置が複雑になる
【００１３】
特許文献3は腰が飛球方向へ移動しないような装置を付加したもので飛球方向に体が流れるのを防ぐ、いわゆる壁を設けるものであるが、のけ反り又はヘッドアップやスエーと呼ばれる動作を防ぐには十分でない。
【００１４】
特許文献4は特許文献1で述べた通り、スイング中にゴルファの体の軸が前後又は左右にぶれてもスイングプレーンに沿ってゴルフクラブを振れるため、いわゆる手打ちと呼ばれるスイングができる
【００１５】
特許文献5はスイングの幅の小さい範囲においてはスイングプレーンにそったスイングが可能で、また腕力強化には役立つが、ドライバーなどシャフトの長いクラブを想定したフルスイングは難しく、またヘッドスピードを上げたスイングも不得手な構造である。何よりも実際にボールを打つものではないので、ボールの打撃感覚は得難い
【００１６】
本発明は手打ちの動作を排除し好ましいスイングプレーンに導く環状ガイドリングと体の軸が前後に起伏する動作と左右に動揺する動作を矯正させるガイドバーを備えたゴルフスイング矯正装置を提供することを目的とする。
【課題を解決するための手段】
【００１７】
上述の目的を達成するために、本発明に係るゴルフスイング矯正装置においては、可とう性を有し、表面が摺動性に優れた管素材を持って成形された環状ガイドリングが周囲4か所で支持棒に支えられている
【００１８】
まず、1か所はゴルファ前方下に設け、環状ガイドリング支持の    基点とする。2か所目はゴルファの後方頭頂側に設け、他の2か所は    ゴルファの左側と右側に設けられ、各支持棒の両端は自在継手又は  可とう継手を介して支持されている
【００１９】
環状ガイドリングはゴルファのスイングプレーンの傾斜角度に応じ、アップライトにもフラットライトにも設定できるように、基点を軸にして後方頭頂側の支持棒の伸縮によって行う
【００２０】
この際、左右の2つの支持棒は伸縮が可能になるよう一時伸縮継手のねじを開放する。左右の支持棒は環状ガイドリングの支持を安定にするものであり、傾斜角度を設定後に固定する
【００２１】
次に、左右の支持棒は右側を低く、左側を高くして支持することにより、ゴルファのスイングをインサイド・アウトに導き、逆に右側を高くし、左側を低くして支持することにより、アウトサイド・インに導くようにスイングを矯正できる
【００２２】
環状ガイドリングはスイング中に起きるリストコックによって２重振り子運動をなすクラブヘッドの軌道に沿った、偏心した円で形成されている。
【００２３】
ゴルフボールの飛ぶ軌道が曲がるものに、いわゆるスライスやフックがあるが、この原因はゴルファがスイング中に前傾姿勢を乱すのが一因であり、ボールのインパクト時又はその直前後にクラブを手前に引いたり、前方に突き出したりして、ボールに横の回転を与えてしまうためである。
【００２４】
本発明はゴルファがスイング中に大きくのけ反るとか、前のめりなるなど前傾姿勢の乱れと左右に動揺するスエーとよばれる体のぶれを矯正するヘッドレストが設けられている
【００２５】
ヘッドレストは後方の支持棒に取り付けられており、ゴルファの身長と立ち位置に対応できるように、高さと前後の距離が変更可能にして、先端にはダンベル状をした横棒が水平に取り付けられている、スイング中にヘッドアップやのけ反ると、ダンベル状をした横棒に後頭部が接触するので認知できる
【００２６】
スイング中に左右にスエーするとダンベル状をした横棒の先端球形部が後頭部に接触してスエーしていることを知らせる。
ダンベル状をした横棒はゴルファに接触しても安全が保てるように弾力性に富んだ素材で形成されている
【００２７】
更に、スイング中に左肘と左手首の角の曲がりが手打ちの原因になり、テイクバックでは左肩の回転不足とヘッドアップを誘発するため本発明では基点を中心にした2つの支持棒を設け、テイクバックに  おいては左腕の回転量を視認できる支持棒を設け、フォロースルーにおいては右腕の回転量を視認できる支持棒を設けてある
【発明の効果】
【００２８】
以上の説明から明らかなように本発明に係るゴルフスイング矯正装置は環状ガイドリングに沿ってスイングすることによってスイングにおける欠点や悪い癖を矯正し、好ましいゴルフスイングを習得できるという効果がある。
【００２９】
本発明にあっては環状ガイドリングが可とう性を有し、表面が摺動性に優れた管素材で整形されているため、ゴルファはクラブを環状ガイドリングに沿って容易にスイングでき、かつスイングプレーンから外れたスイングをすると環状ガイドリングから相応の反力を受けるので、スイングプレーンからのずれを認知でき、矯正させる効果がある
【００３０】
本発明においては環状ガイドリング前方下の支持点を起点として、傾斜角が可変であるからゴルファの体形に関係なくアップライト、フラットライトなスイングを習得できる効果がある。
【００３１】
本発明においては環状ガイドリングを支える左右2つの支持棒は伸縮可能であるから、例えば右側を低く、左側を高くして支持することにより、ゴルファのスイングをインサイド・アウトに導き、逆に右側を高くし、左側を低くして支持することにより、アウトサイド・インに導くようスイングを矯正できる
【００３２】
本発明においてはゴルファの後方にヘッドレストを設けているため、ゴルファがスイング中にヘッドアップ又は、スエーすると後頭部がヘッドレストに接触し、好ましくない動作になっていることを認知し、矯正を促す効果がある。
【００３３】
本発明におけるヘッドレストはゴルファの体形や立ち位置に対応して高さと前後の距離が変更でき、かつ柔軟性に富んだ素材で形成されているので、スイング中にゴルファに接触しても不安感はないという利点がある
【００３４】
本発明においては基点を中心にした角度指示棒が地面上に設けられているから、テイクバックの動作において左腕の回転量と左肘の曲がりを視認でき、矯正するのに役立つ
【図面の簡単な説明】
【００３５】
【図１】本発明に係るゴルフスイング矯正装置の正面図である
【図２】左右支持棒を示す図面であ
【図３】ヘッドレスト部を示す側面図である
【図４】ゴルフスイング矯正装置の側面図である
【図５】ゴルフスイング矯正装置の平面図である
【図６】環状ガイドリングを示す図面である
【図７】前方支持棒部を示す図面である
【図８】後方支持棒部を示す図面である
【図９】ヘッドレスト部を示す平面図である
【図１０】指示棒を示す図面である
【図１１】環状ガイドリングの方向を変化させた例を示す側面図である
【図１２】環状ガイドリングの傾きを変化させた例を示す側面図である
【図１３】環状ガイドリングの輪形の形成を示す図面である
【図１４】指示棒を配置した例を示す図面である
【発明を実施するための形態】
【００３６】
以下、本発明のゴルフスイング矯正装置の実施例の形態を図に基づいて説明する
【実施例】
【００３７】
図１はゴルフスイング矯正装置全体の正面図、図２は側面図、図3は平面図である
【００３８】
図１に示すように環状ガイドリング1は前方下部を前方支持棒部２で自在に支持され、左側を左支持部４で、右側を右支持棒部５で支えられ、さらに中央後部を後方支持棒部3でいずれも自在継手を介在させた形で支えられている
【００３９】
図２に示すように環状ガイドリング1は前方支持棒部２を回転の基点にして、後方支持棒部3、左支持部４、右支持棒部５の伸縮によって傾斜や方向が変更可能にしてあり、スイングを望ましい形のプレーンに矯正させるものである
【００４０】
図３はゴルフスイング矯正装置全体の平面図であるが、特に環状ガイドリング1と指示棒7の位置とゴルフボールの位置関係を明示したものである。
【００４１】
図４は環状ガイドリング1を示したもので、周囲４ヶ所に支えるためのティ型管が取り付けてある。素材は外径22mmの硬質塩化ビニル管で形成され、スイング中に生じるクラブシャフトとの接触において摩擦が少なく、かつシャフトとの衝撃を和らげる弾力性を有するものである。
【００４２】
図５は前方支持部２を示したもので、ベース２１とロットエンド２２がボルトで組付けられており、自在継手の働きをしている。
【００４３】
図６は後方支持部３を示したもので、管３１に管３２が挿入された  ２段伸縮棒となっている。管３２を引き出すことで、高さを自在に設定できる
【００４４】
更に、スイベルジョイント３４を介して突出し棒３５を支持している。突出し棒３５の先端は自在継手33を介して環状ガイドリング1接続されているので、環状ガイドリング1の位置傾きを設定できる
【００４５】
図7は右支持棒部４を示したものである。管４１に管４２が挿入された、２段伸縮棒となっている。
管４２を引き出すことで、高さを自在に設定できる
【００４６】
管４２の上端は自在継手３４を介して環状ガイドリング1接続を接続されている。なお、左支持棒部５は図を省略したが同様な構成である
【００４７】
図８はヘッドレスト部６を示す側面図であり、また図９はヘッドレスト部の平面図である。ヘッドレスト部は後方支持部３の管３２に組付けられた取り付け管６１によって支持され、また位置決め管６２により高さが調節でき、コルファーの身長に応じて高さを設定できる
【００４８】
スライドバー６３は支え棒６６を介して摺動するように取り付けられており、コルファーの立ち位置に応じて出し入れ可能である。
【００４９】
スライドバー６３の先端にダンベル形バー６４が付けてあり、両端には軟質ゴム球又はスポンジ質の球が設けてある、スイング中にコルファーの頭部が左右に大きくスエーすると、球と接触するので、スエーしていることを認知できる
【００５０】
また頭部ないし身体が大きくのけ反るとダンベル形バー６４に接触するので、スイングに於ける悪癖であるのけ反りを認知できる
【００５１】
ダンベル形バー６４はばね６５によってバランスよく支えられているので、コルファーが接触しても衝撃は少ない
【００５２】
従って、ヘッドレスト部４はコルファーの身体に応じて高さや前後の位置が自在に調整でき、安全で効果的に身体の動揺が認知できる
【００５３】
図１０は指示棒７でコルファーが右利きの場合の設定を示したものである。バー７１は飛球線と直角に配置し、ティーアップしたボールの線上に配置し、コルファーの左右方向での立ち位置を視認するのに役立てる、バー７２はコルファーがテイクバックする際の左腕の回転量を計るのに役立てるとともに悪癖である左肘の曲りを視認するのに役立てる
【００５４】
図１1は環状ガイドリング1の環状形成が特徴的であることを説明したものである
【００５５】
ゴルフスイングにおいてスイングの基軸がぶれないことに加えて、インパクト時にヘッドスビートが高いことが望まれる、すなわちゴルファの腕が伸び回転半径が大きいこととリストコックの急な開放によるクラブヘッドの周速が大きくなることが望まれる
【００５６】
非特許文献１によれば、ダウンスイングにおけるクラブヘッドの軌道は次の式で表される
【数１】
2019180683.tif 000003
【数２】
2019180683.tif 000004
【数３】
2019180683.tif 000005
【数４】
2019180683.tif 000006
【００５７】
これらの根拠を基に、本発明の環状ガイドリングは次の式で示される半径Rの偏心円で形成されている
すなわちダウンスイングにおけるクラブヘッドの軌道に相応している
【数５】
2019180683.tif 000007
【００５８】
図１２はゴルフスイング矯正装置全体の側面図であるが、環状ガイドリング1が左向きに開いた設定にした例を示している
【００５９】
環状ガイドリング1が左向きに開くことよってコルファーはクラブを右前方から左後方にスイングを擬えるように矯正される。いわゆるアウトサイド・インのスイングを習得できるので、フックボールの悪癖を矯正できる。
【００６０】
なお、図示を省略しているが、環状ガイドリング1を右向きに開いた設定にすることにより、コルファーはいわゆるインサイド・アウトのスイングを習得できるので、スライスボールの悪癖を矯正できる
【００６１】
なお、環状ガイドリング1の左右の開きの向きの調整は左右の支持棒部４及び５の高さの設定で自在に調節できる
【００６２】
図１３はゴルフスイング矯正装置全体の側面図であるが、環状ガイドリング1の傾きを５度変化させた例をしたものである
【００６３】
環状ガイドリング1の傾斜角は後方支持部３及び左右支持棒部４,５の伸縮操作で無段階的に調整が可能であり、フラットスイング悪癖をアップライトに矯正することも、逆にアップライト過ぎるスイングをフラットスイングの方向にも矯正可能である
【００６４】
図１４は指示棒７２の角度を変えた設定を示した例である
【００６５】
右ききゴルファの場合であるが、左腕と指示棒７２の平行度を対比して視認できるので、腕、肩の回転量と肘曲がりの矯正することができる
【００６６】
指示棒７２の角度γを小さ目に設定しておいて、左腕を重ね見しながらテイクバックするとで、左腕のテイクバックの量を大きくしやすくなる
【００６７】
例えば、ショートアプローチでは指示棒７２の角度γは符号イ方向側に位置し、ロングアイアンやドライバーのようにテイクバックが大きいスイングの場合には指示棒７２の角度γは符号ロの側に仕向ける
【符号の説明】
【００６８】
1環状ガイドリング
2前方支持棒部
3後方支持棒部
4左支持棒部
5右支持棒部
6ヘッドレスト部
7指示棒
8台板
11  ガイドリング
12  T型接続部材  
21  ロットエンド
22  ベース
31  下支持管
32  上支持管
33  自在継手
34  スイベルジョイント
35  突き出し棒
41  下支持管
42  上支持管
43  締付けナット
61  取り付け管
62  位置決め管
63  スライドバー
64  ダンベル形バー
65  ばね
66  支え棒
67  クランプ
71  指示棒1
72  指示棒2
【図１】
2019180683.tif 000009
【図２】
2019180683.tif 000010
【図３】
2019180683.tif 000011
【図４】
2019180683.tif 000012
【図５】
2019180683.tif 000013
【図６】
2019180683.tif 000014
【図７】
2019180683.tif 000015
【図８】
2019180683.tif 000016
【図９】
2019180683.tif 000017
【図１０】
2019180683.tif 000018
【図１１】
2019180683.tif 000019
【図１２】
2019180683.tif 000020
【図１３】
2019180683.tif 000021
【図１４】
2019180683.tif 000022